(57)【要約】【課題】  作業速度の向上により作業件数を増加させ、生産性の向上を図る装置等を提供する。【解決手段】  作業者が作業を行う際の作業速度を計測する計測手段と、複数の作業者の作業速度を計測したことにより得られた計測結果情報を取得する計測結果情報取得手段と、前記計測手段により計測した前記作業速度と、前記計測結果情報取得手段により取得された前記計測結果情報とに基づいて作業速度に関する評価データを生成する評価データ生成手段とを備える作業速度評価装置等である。また、前記計測手段は、速度計測の中断要求を受け付けた場合は速度計測を中断し、速度計測の再開要求を受け付けた場合は速度計測を再開する。【選択図】  図２
2015156134.tif 000002
【特許請求の範囲】
【請求項１】
作業者が作業を行う際の作業速度を計測する計測手段と、
複数の作業者の作業速度を計測したことにより得られた計測結果情報を取得する計測結果情報取得手段と、
前記計測手段により計測した前記作業速度と、前記計測結果情報取得手段により取得された前記計測結果情報とに基づいて作業速度に関する評価データを生成する評価データ生成手段と、
を備えることを特徴とする作業速度評価装置。
【請求項２】
前記計測手段は、速度計測の中断要求を受け付けた場合は速度計測を中断し、速度計測の再開要求を受け付けた場合は速度計測を再開することを特徴とする請求項１記載の作業速度評価装置。
【請求項３】
速度計測の中断回数を取得する中断回数取得手段を備え、
前記評価データ生成手段は、取得した前記中断回数に基づき前記評価データの内容を変動させることを特徴とする請求項２記載の作業速度評価装置。
【請求項４】
前記計測手段の計測対象となった作業の最速速度と、その最速速度を記録した作業者の収入とを取得する最速情報取得手段を備えることを特徴とする請求項１から請求項３の何れか１項に記載の作業速度評価装置。
【請求項５】
前記作業速度には、医師が患者を治療する際の治療速度が含まれ、
前記計測結果情報には、複数の医師の治療速度に関する平均値が含まれ、
前記評価データには、評価対象となる医師の治療速度に関する偏差値が含まれることを特徴とする請求項１から請求項４の何れか１項に記載の作業速度評価装置。
【請求項６】
前記患者の年齢層を取得する年齢層取得手段を備え、
前記評価データ生成手段は、取得した前記年齢層に基づき前記評価データの内容を変動させることを特徴とする請求項５記載の作業速度評価装置。
【請求項７】
病院の施設状況を取得する施設状況取得手段を備え、
前記評価データ生成手段は、取得した前記施設状況に基づき前記評価データの内容を変動させることを特徴とする請求項５記載の作業速度評価装置。
【請求項８】
前記患者の症状を取得する症状取得手段を備え、
前記評価データ生成手段は、取得した前記症状に基づき前記評価データの内容を変動させることを特徴とする請求項５記載の作業速度評価装置。
【請求項９】
計測手段が、作業者が作業を行う際の作業速度を計測するステップと、
計測結果情報取得手段が、複数の作業者の作業速度を計測したことにより得られた計測結果情報を取得するステップと、
評価データ生成手段が、前記計測手段により計測した前記作業速度と、前記計測結果情報取得手段により取得された前記計測結果情報とに基づいて作業速度に関する評価データを生成するステップと、
を有することを特徴とする作業速度評価方法。
【請求項１０】
コンピュータを、
作業者が作業を行う際の作業速度を計測する計測手段、
複数の作業者の作業速度を計測したことにより得られた計測結果情報を取得する計測結果情報取得手段、
前記計測手段により計測した前記作業速度と、前記計測結果情報取得手段により取得された前記計測結果情報とに基づいて作業速度に関する評価データを生成する評価データ生成手段、
として機能させることを特徴とする作業速度評価プログラム。
【発明の詳細な説明】
【技術分野】
【０００１】
本発明は、作業者の作業速度を評価するための装置・プログラム・方法に関するものである。
【背景技術】
【０００２】
社会には様々な仕事があり、その仕事を遂行するため、多くの人達が様々な作業を行っている。これら作業を行うには所定の技術や技能が必要であり、作業を行う人達は、日々、それら技術や技能の向上を図っている。
例えば、医療の分野においては、医療技術や医療技能の進歩は日進月歩であり、医療現場で働く医師達は日々治療技術や治療技能の向上を図っている。そして、それを補助するために、医師の治療技術や治療技能を客観的に評価することを目的とした装置が開発されている（例えば、特許文献１）。この装置を用いて医師の治療技術や治療技能を客観的に評価すれば、医師は自らの足りない治療技術や治療技能を知ることができ、その治療技術や治療技能を習得するよう心がけることができる。
【先行技術文献】
【特許文献】
【０００３】
【特許文献１】特開２０１０−２３１１６７号
【発明の概要】
【発明が解決しようとする課題】
【０００４】
しかし、特許文献１などの装置は、治療の安全性や正確性を重視したものばかりであり、治療の速度を重視したものではなかった。即ち、従来の装置を利用すれば、治療の安全性や正確性に重点を置いた治療技術・治療技能の向上は図れるが、治療速度に重点を置いた治療技術・治療技能の向上を図ることはできなかった。
このように治療速度の向上が十分に図れないと、治療件数を増加させることはできず、病院の経営効率を向上させることもできない。即ち、医療の世界において、安全で正確な治療を行うことは最も重要であるが、病院の経営効率向上も重要であり、これまでの装置を利用しても病院の経営効率を向上させることはできないという問題があった。
また、医療分野に限らず、その他の分野においても、作業者の作業速度を計測し、それを評価することにより作業速度を向上させる装置等は開発されていない。よって、医療分野以外の分野においても、同様の問題が生じていた。
【０００５】
本発明は、このような課題を解決するためものであり、作業者の作業速度を客観的に評価することにより、作業者に作業速度に対する意識を持たせ、これにより作業速度の向上を図るものである。即ち、本発明は、作業速度の向上により作業件数を増加させ、生産性向上を実現する装置等を提供することを目的とする。
【課題を解決するための手段】
【０００６】
本発明では、上記問題を解決するため、作業者が作業を行う際の作業速度を計測する計測手段と、複数の作業者の作業速度を計測したことにより得られた計測結果情報を取得する計測結果情報取得手段と、前記計測手段により計測した前記作業速度と、前記計測結果情報取得手段により取得された前記計測結果情報とに基づいて作業速度に関する評価データを生成する評価データ生成手段と備える作業速度評価装置が提供される。
【０００７】
また、本発明では、上記問題を解決するため、計測手段が、作業者が作業を行う際の作業速度を計測するステップと、計測結果情報取得手段が、複数の作業者の作業速度を計測したことにより得られた計測結果情報を取得するステップと、評価データ生成手段が、前記計測手段により計測した前記作業速度と、前記計測結果情報取得手段により取得された前記計測結果情報とに基づいて作業速度に関する評価データを生成するステップとを有する作業速度評価方法が提供される。
【０００８】
更に、本発明では、上記問題を解決するため、コンピュータを、作業者が作業を行う際の作業速度を計測する計測手段、複数の作業者の作業速度を計測したことにより得られた計測結果情報を取得する計測結果情報取得手段、前記計測手段により計測した前記作業速度と、前記計測結果情報取得手段により取得された前記計測結果情報とに基づいて作業速度に関する評価データを生成する評価データ生成手段として機能させる作業速度評価プログラムが提供される。
【発明の効果】
【０００９】
本発明は、「作業者が作業を行う際の作業速度を計測する計測手段と、複数の作業者の作業速度を計測したことにより得られた計測結果情報を取得する計測結果情報取得手段と、前記計測手段により計測した前記作業速度と、前記計測結果情報取得手段により取得された前記計測結果情報とに基づいて作業速度に関する評価データを生成する評価データ生成手段」を備えるので、作業者は自らの作業速度に関する客観的評価を得ることができ、自らの作業速度に対する意識を持つことができる。そして、その結果として作業速度の向上を図ることができ、生産性が向上するのである。
よって、例えば、医療現場で医師の治療時間を計測し、それを評価すれば、医師の治療速度が向上し、治療件数を増加させることができ、結果として病院経営の効率化を図ることができるのである。
なお、本発明は、このような医療分野において特に優れた効果を奏する。医療分野は、診療報酬制度により治療単価が決められているからである。即ち、医療の分野では診療報酬制度により治療単価が決められているため、病院の収入を増やすには治療件数を増加させる必要があり、治療件数を増加させるには治療速度の向上が最も有効だからである。
また、本発明は、医師個人でなく病院の院長や管理者に対しても優れた効果を生じさせる。病院の院長や管理者が、この評価を利用すれば、その病院に所属する医師の実力判定を行うことができるからである。
【図面の簡単な説明】
【００１０】
【図１】本実施例に係るハードウェア構成の一例を表す図である。
【図２】各装置の機能構成図の一例を表す図である。
【図３】医師個別データの一例を表す図である。
【図４】計測データの一例を表す図である。
【図５】全国集計データの一例を表す図である。
【図６】治療開始画面の表示例を表す図である。
【図７】治療の終了または中断画面の一例を表す図である。
【図８】治療の再開または終了画面の一例を表す図である。
【図９】治療速度に関する偏差値表示画面の一例を表す図である。
【図１０】本実施例の処理全体を表すフローチャートである。
【図１１】医師登録の詳細を示すフローチャートである。
【図１２】治療時間計測の詳細を示すフローチャートである。
【図１３】偏差値閲覧の詳細を示すフローチャートである。
【図１４】計測時間変換データの一例を表す図である。
【発明を実施するための形態】
【００１１】
本発明の実施例を図に基づいて説明する。なお、本実施例では、歯科医師の作業速度（治療速度）を評価する場合を例に説明する。
図１は、本発明の一実施例を示したシステム構成図（ハードウェア構成図）である。
このシステムは、各種の情報を管理・処理するサーバー１と、病院の院長や管理者等が利用する病院用ＰＣ２（２ａ、２ｂ、２ｃ等）と、歯科医師が利用するタブレットＰＣ３（３ａ、３ｂ、３ｃ等）とからなり、各々はインターネット１０を介して情報の送受信ができるよう接続されている。
【００１２】
サーバー１は、情報の入出力を行う入出力部、情報の送受信を行う送受信部、情報の処理を行う処理部等を備えたコンピュータである。また、サーバー１は、情報の記憶を行う記憶部１１と接続され、情報の記憶を行う。
病院用ＰＣ２は、情報の入出力を行う入出力部、情報の送受信を行う送受信部、情報の処理を行う処理部、情報の記憶を行う記憶部等を備えたコンピュータ（パーソナルコンピュータ）である。
タブレットＰＣ３は、情報の入出力を行う入出力部、情報の送受信を行う送受信部、情報の処理を行う処理部、情報の記憶を行う記憶部等を備えたタブレット型のコンピュータである。
【００１３】
サーバー１、ＰＣ２、タブレットＰＣ３の記憶部には、本発明を実現するためのコンピュータプログラムや所定のデータが記憶されており、処理部はこのコンピュータプログラムの処理命令に従って所定の処理を行う。
【００１４】
図２は、本発明の一実施例を示した機能構成図である。
サーバー１は、登録処理部３１、治療時間計測部３２、計測結果集計部３３、偏差値算出部３４、評価データ生成部３５を備える。
登録処理部３１は、医師登録申請部２１から医師の登録データを受信し、登録データの内容が正しいか否かを確認する。登録データの内容が正しければ登録データの内容を記憶部１１に記憶し、登録データが正当に登録された旨の通知データを登録内容受信部２２に送信する。
治療時間計測部３２は、治療情報送信部４１から治療情報（治療の開始・中断・終了）を受信し、それに基づき治療時間の計測を行う（計測手段）。また、計測結果を計測結果集計部３３に送信する。
計測結果集計部３３は、治療時間計測部３２から計測結果を受信し、それに基づき治療時間の記憶・蓄積し、治療時間の平均値などを算出・集計する。
偏差値算出３４は、第１偏差値要求部２３（または、第２偏差値要求部４２）から偏差値要求を受信し、偏差値を算出し、それを評価データ生成部３５に送信する。なお、偏差値の算出は、後述する歯科医師ＩＤ・図４の計測データ（治療速度）・図５の全国集計データ（計測結果情報）等に基づき算出される。
評価データ生成部３５は、算出された偏差値等に基づき評価データを生成し、それを第１偏差値表示部２４（または第２偏差値表示部４３）に送信する。
【００１５】
病院用ＰＣ２は、医師登録申請部２１、登録内容受信部２２、第１偏差値要求部２３、第１偏差値表示部２４を備える。
医師登録申請部２１は、医師の登録データを生成し、これを登録処理部３１に送信する。
登録内容受信部２２は、登録処理部３１から登録データが正当に登録された旨の通知データを受信する。
第１偏差値要求部２３は、偏差値算出部３４に対し、偏差値要求を送信する。
第１偏差値表示部２４は、評価データ生成部３５から偏差値に関する評価データを受信し、これを病院用ＰＣ２の表示部に表示する。
【００１６】
タブレットＰＣ３は、治療情報送信部４１、第２偏差値要求部４２、第２偏差値表示部４３を備える。
治療情報送信部４１は、治療情報（治療の開始・中断・終了）を治療時間計測部３２に送信する。
第２偏差値要求部４２は、偏差値算出部３４に対し、偏差値要求を送信する。
第２偏差値表示部４３は、評価データ生成部３５から偏差値に関する評価データを受信し、これをタブレットＰＣ２の表示部に表示する。
【００１７】
次に、記憶部１１に記憶されているデータについて説明する。
図３は、本実施例で使用される医師個別データ（医師の登録データ）の構成図を表したものである。
このデータは、歯科医師ＩＤに各種データが関連づけられているものである。具体的には、歯科医師ＩＤ（ここでは「Ａ００１」とする）に、医師の氏名、勤務先、勤務先住所、年齢、年収等が各々関連づけられているものである。
【００１８】
図４は、本実施例で使用される計測データの構成図を表したものである。
このデータは、歯科医師ＩＤに各種データが関連づけられているものである。具体的には、歯科医師ＩＤに治療種別、平均時間（治療にかかった時間の平均）、治療の回数と回数毎の治療時間・計測日時（治療時間を計測した日時）・中断回数（治療を中断した回数）とが各々関連づけられているものである。
【００１９】
図５は、本実施例で使用される全国集計データ（計測結果情報）の構成図を表したものである。
このデータは、治療種別、医師数（このシステムに登録されている医師のうち、一定期間内に何人がその治療を行ったかを集計した数）、治療回数（このシステムに登録されている医師が、一定期間内にその治療を行った「のべ回数」）、全国平均時間（その治療にかかった時間の全国平均）、平均中断回数（その治療を中断した回数の全国平均）、トップ医師の時間（最も早く治療した医師の治療時間）、トップ医師の年収（収入）とが各々関連づけられているものである。
【００２０】
図６〜図９は、本実施例においてタブレットＰＣ３等の表示部に表示される表示例を表したものである。
図６は、タブレットＰＣ３の表示部に表示される内容であり、歯科医師が治療を開始する際の表示例である。
歯科医師は、表示された治療種別（根充、抜歯、ＣＲ形成（単）など）からこれから治療する内容を選択する。なお、ここでは「抜歯」を行うものとし、歯科医師は「抜歯」の左に表示されているチェックボックスにチェックを入れるものとする。
次に、歯科医師は、治療を開始する際に「開始」ボタンをクリック（タップ）する。これにより治療時間の計測が開始される。
【００２１】
図７は、タブレットＰＣ３の表示部に表示される内容であり、歯科医師が治療を終了又は中断する際の表示例である。
歯科医師は、治療中に治療を中断する際に「中断」ボタンをクリック（タップ）する。これにより治療時間の計測が中断される。歯科医師は、一人で複数の患者を同時に治療する場合があり、この治療の「中断」は、ある患者を治療中に他の患者を治療したり、他の患者の様子をみにいく場合などに使用される。
また、歯科医師は、治療中に治療を終了する際に「終了」ボタンをクリック（タップ）する。これにより治療時間の計測が終了する。
【００２２】
図８は、タブレットＰＣ３の表示部に表示される内容であり、歯科医師が治療を再開又は終了する際の表示例である。
歯科医師は、治療中の中断中に治療を再開する際に「再開」ボタンをクリック（タップ）する。これにより治療時間の計測が再開される。
また、歯科医師は、中断中にそのまま治療を終了する場合に「終了」ボタンをクリック（タップ）する。これにより治療時間の計測が終了する。
【００２３】
図９は、タブレットＰＣ３の表示部に表示される内容であり、ある医師の治療速度に関する評価データ（偏差値等）の表示例である。ここでは山田太郎という医師の氏名、治療した治療の種別、割合、診察回数、その医師個人の治療平均時間、全国平均時間、偏差値が表示される。また、この他に、全国順位、全国トップ医師の年収なども表示される。これらが表示されることにより、医師は自らの治療速度に関する客観的な評価を得ることができる。
また、最も早く治療する医師（トップ医師）の治療速度や年収を知ることができ、それを目標に治療速度の向上を図ることができる。
【００２４】
図１０は、本実施例の処理手順を示すフローチャートである。このフローチャートは、医師登録（Ｓ１）、治療時間計測（Ｓ２）、偏差値閲覧（Ｓ３）とからなる。なお、Ｓ１はＳＴＥＰ１、Ｓ２はＳＴＥＰ２、Ｓ３はＳＴＥＰ３を意味するものである。
【００２５】
図１１は、医師登録（Ｓ１）の詳細を表したフローである。医師登録（Ｓ１）は、このシステムに登録する医師の基本情報を入力するための処理であり、登録データ入力（Ｓ１−１）、登録データ送信（Ｓ１−２）、登録データの正当性確認（Ｓ１−３）、登録完了データ送信（Ｓ１−４）、エラー通知データ送信（Ｓ１−５）とからなる。
登録データ入力（Ｓ１−１）は、次の処理を行う。
病院の院長又は管理者は、病院用ＰＣ２を利用して医師を登録するためのデータ（登録データ）を入力する。入力内容は、例えば図３のような項目が入力される。なお、個人開業医などの場合は、登録される医師自らが自らのデータを入力する。
【００２６】
登録データ送信（Ｓ１−２）は次の処理を行う。
病院用ＰＣ２は、Ｓ１−１で入力された情報（登録データ）をサーバー１に送信し、サーバー１はこれを受信する。
【００２７】
登録データの正当性確認（Ｓ１−３）は次の処理を行う。
サーバー１は、受信した登録データの内容を確認する。例えば、必要事項が入力されているか、年齢等が適切な数値として入力されているかなどを確認する。登録データの内容が正当である場合はＳ１−４に進み、正当でない場合はＳ１−５に進む。
【００２８】
登録完了データ送信（Ｓ１−４）は次の処理を行う。
サーバー１は、登録データの内容が正当である場合は、登録完了データを生成し、これを病院用ＰＣ２に送信する。これにより病院の院長や管理者は、登録データが無事登録されたことを知ることができる。
【００２９】
エラー通知データ送信（Ｓ１−５）は次の処理を行う。
サーバー１は、登録データの内容が正当でない場合は、エラー通知データを生成し、これを病院用ＰＣ２に送信する。これにより病院の院長や管理者は、登録データに誤りがあることを知り、正しい内容のデータを再入力して、再度サーバー１に送信する。
【００３０】
図１２は、治療時間計測（Ｓ２）の詳細を表したフローである。治療時間計測（Ｓ２）は、歯科医師が治療時間を計測するための処理であり、計測コマンド入力（Ｓ２−１）、計測コマンド判断（Ｓ２−２）、時間計測（Ｓ２−３）、時間計測（Ｓ２−４）、終了確認（Ｓ２−５）とからなる。
【００３１】
計測コマンド入力（Ｓ２−１）は、次の処理を行う。
タブレットＰＣ３は、計測コマンドの入力受付を行う。治療を開始する場合、医師は「開始」ボタンをクリック（タップ）する。治療を中断する場合、医師は「中断」ボタンをクリック（タップ）する。中断していた治療を再開する場合、医師は「再開」ボタンをクリック（タップ）する。治療を終了する場合、医師は「終了」ボタンをクリック（タップ）する。
【００３２】
計測コマンド判断（Ｓ２−２）は、次の処理を行う。
タブレットＰＣ３は、計測コマンドの内容を判断する。計測コマンドが「開始」の場合はＳ２−３へ、「中断」の場合はＳ２−５へ、「再開」の場合はＳ２−４へ進む。
【００３３】
時間計測（Ｓ２−３、Ｓ２−４）は、治療時間の計測処理を行う（計測手段）。
【００３４】
終了確認（Ｓ２−５）は、次の処理を行う。
タブレットＰＣ３は、終了コマンドが入力されたか否かを確認し、「終了」が入力された場合は処理を終了し、「終了」が入力されていなければＳ２−１へ進む。
【００３５】
図１３は、偏差値閲覧（Ｓ３）の詳細を表したフローである。偏差値閲覧（Ｓ３）は、この病院の院長・管理者・歯科医師が、特定の歯科医師の偏差値を閲覧するための処理であり、偏差値要求（Ｓ３−１）、偏差値算出（Ｓ３−２）、評価データ生成（Ｓ３−３）、偏差値表示（Ｓ３−４）とからなる。
【００３６】
偏差値要求（Ｓ３−１）は次の処理を行う。
病院の院長または管理者は、ある医師の偏差値を知るために病院用ＰＣ２を操作する。これにより、病院用ＰＣ２は偏差値要求データを生成し、これをサーバー１に送信する。なお、この偏差値要求データには歯科医師ＩＤが含まれているものとする。
【００３７】
偏差値算出（Ｓ３−２）は次の処理を行う。
サーバー１は、偏差値要求データに含まれる歯科医師ＩＤ・図４の計測データ（治療速度）・図５の全国集計データ（計測結果情報）等に基づき、特定の歯科医師の治療速度に関する偏差値等を算出する。
【００３８】
偏差値算出（Ｓ３−３）は次の処理を行う。
サーバー１は、Ｓ３−３において算出した偏差値等に基づき、評価データ（評価データ）を生成し、それを病院用ＰＣ２に送信する。
【００３９】
偏差値閲覧（Ｓ３−４）は次の処理を行う。
病院用ＰＣ２は、サーバー１から送信された評価データ（算出結果）を受信し、これを病院用ＰＣ２の表示部に表示する。なお、表示内容は例えば、図９のような内容が表示される。これにより病院の院長または管理者は、特定の医師の偏差値を知ることができる。よって、例えば根充治療の偏差値の低い医師がいた場合、その医師に根充治療の講義やセミナーに参加するよう勧めるなどして、医師のスキルアップを図ることができる。
【００４０】
なお、上記Ｓ３−１からＳ３−４は、病院用ＰＣ２とサーバー１との間での処理について説明したが、同様の処理をタブレットＰＣ３とサーバー１との間で行うことも可能である。タブレットＰＣ３に偏差値を表示するようにすれば、歯科医師本人が自らの偏差値を知ることができ、どの治療が得意で、どの治療が不得意なのか等を客観的に知ることができる。
【００４１】
図１４は、計測時間を変換するためのデータである。歯科治療の速度は様々な要因により変動する。例えば、ある治療を大人の患者に行う場合、平均して５分程度で終わるが、これを幼児に行う場合は、どうしても８分くらいかかってしまうことがある。このような場合、患者の年齢層を考慮して計測時間を変換しないと、治療速度に関し適切な評価が行えない。図１４は、患者の年齢層等の要因により計測時間を変換させ、適切な評価を行うためのデータである。
【００４２】
図１４（ａ）は、患者の年齢層により計測時間を変換するためのデータである。例えば、患者が幼児（０歳から３歳）の場合は、実際の計測時間を「０．７倍」にすることにより（治療時間が短くなるよう調整することにより）、評価データの内容を変動させ、適切な評価が行えるようにしたものである。なお、変換値の内容は任意であり、場合に応じて数値を変えても良い。
【００４３】
次に、図１４（ｂ）は、治療の中断回数に応じて治療時間を調整し、適切な評価が行えるようにしたものである。なお、変換値の内容は任意であり、場合に応じて数値を変えても良い。
次に、図１４（ｃ）は、病院の施設状況（例えば、治療椅子の数や治療装置の質や数等）に応じて治療時間を調整し、適切な評価が行えるようにしたものである。なお、変換値の内容は任意であり、場合に応じて数値を変えても良い。
次に、図１４（ｄ）は、患者の症状（例えば、重症患者・軽症患者等の種別）に応じて治療時間を調整し、適切な評価が行えるようにしたものである。なお、変換値の内容は任意であり、場合に応じて数値を変えても良い。
【００４４】
上記実施例は本発明の範囲を限定するものではない。
例えば、上記実施例では、歯科医師の治療速度計測に関し説明しているが、本発明は歯科医師に限らず他の医師の治療速度計測についても利用できる。また、医師以外の作業者の作業処理速度評価においても利用できる。医師以外の作業者には、例えば、税理事務を行う者、法律事務を行う者、商品の梱包作業を行う者など、あらゆる作業者が含まれる。
本実施例で説明した各処理はどの装置で行ってもよい。例えば、上記実施例の処理は複数の装置（サーバー１、病院用ＰＣ２、タブレットＰＣ３）で行っているが、これを１つの装置で行ってもよいし、２つの装置で行っても良い。
また、本実施例で説明したシステム構成（ハードウェア構成）は一例であり、用途や目的に応じて様々な構成があることは言うまでもない。
更に、本実施例で説明したデータ構成は一例であり、用途や目的に応じて様々なデータ構成があることは言うまでもない。
【００４５】
なお、上記の処理機能は、コンピュータによって実現することができる。その場合、本発明に係る装置が有すべき機能の処理内容を記述した本発明に係るプログラムが提供される。そのプログラムをコンピュータで実行することにより、上記処理機能がコンピュータ上で実現される。処理内容を記述した本発明に係るプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録装置には、ＭＯ（Ｍａｇｎｅｔｏ  Ｏｐｔｉｃａｌ  ｄｉｓｋ）などがある。
【００４６】
本発明に係るプログラムを流通させる場合には、たとえば、そのプログラムが記録されたＤＶＤ、ＣＤ−ＲＯＭなどの可搬型記録媒体が販売される。また、プログラムをサーバーコンピュータの記憶装置に格納しておき、ネットワークを介して、サーバーコンピュータから他のコンピュータにそのプログラムを転送することもできる。
【００４７】
本発明に係るプログラムを実行するコンピュータは、たとえば、可搬型記録媒体に記録されたプログラムもしくはサーバーコンピュータから転送されたプログラムを、自己の記憶装置に格納する。そして、コンピュータは、自己の記憶装置から本発明に係るプログラムを読み取り、そのプログラムに従った処理を実行する。
なお、コンピュータは、可搬型記録媒体からそのプログラムを読み取り、プログラムに従った処理を実行することもできる。また、コンピュータは、サーバーコンピュータからプログラムが転送される毎に、逐次、受け取ったプログラムに従った処理を実行することもできる。
【００４８】
なお、本発明は、上述の実施の形態にのみ限定されるものではなく、本発明の要旨を逸脱しない範囲内において種々の変更を加えることができる。
【００４９】
上記については単に本発明の原理を示すものである。さらに、多数の変形、変更が当業者にとって可能であり、本発明は上記に示し、説明した正確な構成および 応用例に限定されるものではなく、対応するすべての変形例および均等物は、添付の請求項およびその均等物による本発明の範囲とみなされる。
【符号の説明】
【００５０】
１    サーバー
２    病院用ＰＣ
３    タブレットＰＣ
１０  インターネット
１１  記憶装置
【図１】
2015156134.tif 000003
【図２】
2015156134.tif 000004
【図３】
2015156134.tif 000005
【図４】
2015156134.tif 000006
【図５】
2015156134.tif 000007
【図６】
2015156134.tif 000008
【図７】
2015156134.tif 000009
【図８】
2015156134.tif 000010
【図９】
2015156134.tif 000011
【図１０】
2015156134.tif 000012
【図１１】
2015156134.tif 000013
【図１２】
2015156134.tif 000014
【図１３】
2015156134.tif 000015
【図１４】
2015156134.tif 000016